(57)【要約】【課題】波形鋼管が開示される。波形鋼管は、軸方向に連続する複数の単位鋼管を含む波形鋼管であって、単位鋼管は、第１の単位鋼板が円筒状に巻き付いて完成され、一側には、第１の単位鋼板の両端が突き合わせられた第１の繋ぎ部が形成されている第１の円筒状管と、第２の単位鋼板が円筒状に巻き付いて完成され、一側には、第２の単位鋼板の両端が突き合わせられた第２の繋ぎ部が形成されている第２の円筒状管とを備え、第２の円筒状管は、第２の単位鋼板の内面が第１の繋ぎ部を覆うように円筒状に巻き付いて第１の円筒状管の外面に重なり、第２の繋ぎ部は、第１の繋ぎ部に対応しないように位置することを特徴とする。【選択図】図１
2016516581.tif 000002
【特許請求の範囲】
【請求項１】
軸方向に連続する複数の単位鋼管（１３０、２３０）を含む波形鋼管であって、
前記単位鋼管（１３０、２３０）は、
第１の単位鋼板（１０）が円筒状に巻き付いて完成され、一側には、前記第１の単位鋼板（１０）の両端が突き合わせられた第１の繋ぎ部（１１１、２１１）が形成されている第１の円筒状管（１１０、２１０）と、
第２の単位鋼板（２０）が円筒状に巻き付いて完成され、一側には、前記第２の単位鋼板（２０）の両端が突き合わせられた第２の繋ぎ部（１２１、２２１）が形成されている第２の円筒状管（１２０、２２０）と、
を備え、
前記第２の円筒状管（１２０、２２０）は、前記第２の単位鋼板（２０）の内面が前記第１の繋ぎ部（１１１、２１１）を覆うように円筒状に巻き付いて前記第１の円筒状管（１１０、２１０）の外面に重なり、
前記第２の繋ぎ部（１２１、２２１）は、前記第１の繋ぎ部（１１１、２１１）に対応しないように位置し、
前記第１の円筒状管（１１０、２１０）は、一側に段付き部（１１２、２１２）を備え、
前記段付き部（１１２、２１２）は、前記第１の円筒状管（１１０、２１０）の外面から段付けられ、前記第１の円筒状管（１１０、２１０）の外面より大きい直径を有するように形成され、
前記段付き部（１１２、２１２）には、前記段付き部（１１２、２１２）の反対側が挿入され得るし、
前記単位鋼管（１３０、２３０）は、軸方向に複数連続するとき、前記第１の円筒状管（１１０、２１０）の前記段付き部（１１２、２１２の反対側が前記段付き部（１１２、２１２）に挿入されて複数の単位鋼管（１３０、２３０）が互いに結合されることを特徴とする波形鋼管。
【請求項２】
前記第２の円筒状管（１２０、２２０）は、前記第２の円筒状管（１２０、２２０）の円周方向に沿って一定間隔に配列されており、前記円周方向に垂直に突出している複数の中空部（１２２、２２２）を備えることを特徴とする請求項１に記載の波形鋼管。
【請求項３】
前記段付き部（２１２）の内面には、前記段付き部（２１２）の円周方向に沿って一定間隔に配列されている複数の溝（２１３）をさらに備え、前記溝（２１３）は、第２の円筒状管（２２０）の軸方向に沿って延長され、前記溝（２１３）内には接着性充填剤が注入されることを特徴とする請求項１に記載の波形鋼管。
【請求項４】
ａ）平板の長い第１の鋼板（１）をロール状に用意するステップ（Ｓ１１）と、
ｂ）平板の長い第２の鋼板（２）をロール状に用意するステップ（Ｓ１２）と、
ｃ）ロール状に用意された前記第１の鋼板（１）を解きながら所定の長さで切断して第１の単位鋼板（１０）を複数用意するステップ（Ｓ１３）と、
ｄ）前記第１の単位鋼板（１０）の一側を前記第１の単位鋼板（１０）の平面に垂直な方向に折り曲げて前記第１の単位鋼板（１０）の一側に段付き部（１１２）を形成するステップ（Ｓ１４）と、
ｅ）ロール状に用意された前記第２の鋼板（２）を解きながら前記第２の鋼板（２）の両側を一定パターンで折り曲げて複数の中空部（１２２）を形成するステップ（Ｓ１５）と、
ｆ）中空部（１２２）が形成された第２の鋼板（２）を所定の長さで切断して第２の単位鋼板（２０）を複数用意するステップ（Ｓ１６）と、
ｇ）前記第１の単位鋼板（１０）を円筒状にある程度巻き付けながら前記第２の単位鋼板（２０）を前記第１の単位鋼板（１０）の下に供給するステップ（Ｓ１７）と、
ｈ）前記第２の単位鋼板（２０）を前記第１の単位鋼板（１０）にシーム溶接するステップ（Ｓ１８）と、
ｉ）前記第１の単位鋼板（１０）を円筒状に完全に巻き付けた後、前記第２の単位鋼板（２０）を円筒状に完全に巻き付けて、前記第２の単位鋼板（２０）の突き合わせられた両端を溶接して第１の単位鋼板（１０）からなる第１の円筒状管（１１０）及び第２の単位鋼板（２０）からなる第２の円筒状管（１２０）が互いに重なった単位鋼管（１３０）を完成するステップ（Ｓ１９）と、
ｊ）前記単位鋼管（１３０）を前進移動させた後、追加の第１の単位鋼板（１０）の段付き部（１１２）が前記単位鋼管（１３０）の第１の円筒状管（１１０）の外面に密着されるように、前記追加の第１の単位鋼板（１０）を前記単位鋼管（１３０）の下に供給するステップ（Ｓ２０）と、
ｋ）前記ａ）〜ｉ）のステップを経て追加の単位鋼管（１３０）を完成した後、前記ｊ）〜ｉ）のステップを繰り返して複数の単位鋼管（１３０）を互いに連結させるステップ（Ｓ２１）と、
を含むことを特徴とする波形鋼管の製造方法。
【請求項５】
ａ）平板の長い第１の鋼板（１）をロール状に用意するステップ（Ｓ１１１）と、
ｂ）平板の長い第２の鋼板（２）をロール状に用意するステップ（Ｓ１１２）と、
ｃ）ロール状に用意された前記第１の鋼板（１）を解きながら所定の長さで切断して第１の単位鋼板（１０）を複数用意するステップ（Ｓ１１３）と、
ｄ）前記第１の単位鋼板（１０）の一側を前記第１の単位鋼板（１０）の平面に垂直な方向に折り曲げて前記第１の単位鋼板（１０）の一側に段付き部（２１２）を形成するステップ（Ｓ１１４）と、
ｅ）前記段付き部（２１２）の内面に前記第１の単位鋼板（１０）の長さ方向に延長される複数の溝（２１３）を形成するステップ（Ｓ１１５）と、
ｆ）ロール状に用意された前記第２の鋼板（２）を解きながら前記第２の鋼板（２）の両側を一定パターンで折り曲げて複数の中空部（２２２）を形成するステップ（Ｓ１１６）と、
ｇ）中空部（２２２）が形成された第２の鋼板（２）を所定の長さで切断して第２の単位鋼板（２０）を複数用意するステップ（Ｓ１１７）と、
ｈ）前記第１の単位鋼板（１０）を円筒状にある程度巻き付けながら前記第２の単位鋼板（２０）を前記第１の単位鋼板（１０）の下に供給するステップ（Ｓ１１８）と、
ｉ）前記第２の単位鋼板（２０）を前記第１の単位鋼板（１０）にシーム溶接するステップ（Ｓ１１９）と、
ｊ）前記第１の単位鋼板（１０）を円筒状に完全に巻き付けた後、前記第２の単位鋼板（２０）を円筒状に完全に巻き付けて、前記第２の単位鋼板（２０）の突き合わせられた両端を溶接して第１の単位鋼板（１０）からなる第１の円筒状管（２１０）及び第２の単位鋼板（２０）からなる第２の円筒状管（２２０）が互いに重なった単位鋼管（２３０）を完成するステップ（Ｓ１２０）と、
ｋ）前記単位鋼管（２３０）を前進移動させた後、追加の第１の単位鋼板（１０）の段付き部（２１２）が前記単位鋼管（２３０）の第１の円筒状管（２１０）の外面に密着されるように、前記追加の第１の単位鋼板（１０）を前記単位鋼管（２３０）の下に供給するステップ（Ｓ１２１）と、
を含み、
ｌ）前記ａ）〜ｉ）のステップを経て追加の単位鋼管（２３０）を完成した後、前記ｊ〜ｉ）のステップを繰り返して複数の単位鋼管（２３０）を互いに連結させるステップ（Ｓ１２２）と、
ｍ）前記溝（２１３）の内側に接着性充填剤を充填し硬化して互いに連結された前記複数の単位鋼管（２３０）を固定させるステップ（Ｓ１２３）と、
を含むことを特徴とする波形鋼管の製造方法。
【発明の詳細な説明】
【技術分野】
【０００１】
本発明は、波形鋼管に係り、より詳しくは、流体の流れが円滑であり、波形鋼管の内部に増加する圧力によって容易に破裂されず、波形鋼管の製造が迅速になされるので、製造期間及び製造単価が低減される波形鋼管及びその製造方法に関する。
【背景技術】
【０００２】
道路、港湾、下水処理場等で流体の移動を案内するために、コンクリート管が主に使用される。このコンクリート管は、自体の重量及び体積の増加のため、運搬及び取扱時に重装備の投入が求められ、施工の際には、鋳型の設置及び解体による作業性低下とともに、連結部の増加のため、工事期間が長くなり、また、連結部を結ぶ基礎セメントの凍結による季節的制約を受けるようになるという問題を有するようになる。
さらに、コンクリート管は、強度は優れているが、運搬及び施工の際、外部から加えられる衝撃に弱く、容易に亀裂が入るか、または酷い場合には破損されるという問題を有している。
このため、近年、亜鉛めっき鋼板を螺旋状に巻き付け、その巻き付けた境界部をロックシーム（ｌｏｃｋ  ｓｅａｍ）連結した鋼管が使用されるようになり、その使用量が次第に増加しつつある。
このような鋼管は、螺旋状に巻き付いてその境界部がロックシーム連結されたロックシーム連結部を除いた残りの部分は、全て滑らかな単純な形態である。この鋼管は、コンクリート管が持つ問題をかなりの部分で解決しているが、未だロックシーム連結部位を除いた残りの全体部分の内径部が屈曲されておらず、扁平であるため、強度が劣るという問題を抱えており、上下水道のような流体の移送を案内する用途としては幅広く使用されていないのが現実である。
【０００３】
このような鋼管の問題を解決するために、管の周りに長さ方向に沿って螺旋をなすようにしたしわ型鋼管が製造されて市販されている。このしわ型鋼管は、内径部の方が開放されるようにほぼ柔らかい波状の凹入部が連続的に一体化された形態であり、内径部の方が開放されるようにほぼコ字状の凹入部が適当な間隔をおいて形成された形態である。
このようなしわ型鋼管は、施工後、使用過程において管本体に形成されたしわのため、強度がかなり強くなり、特に、上下水道の流れを案内する管として適合し使用されるという長所がある、一方で、鋼管の内部のしわなどのため、いくつかの問題が生じている。
すなわち、流体が管本体の内径に沿って流れるとき、連続形成されたしわなどのため、干渉を強く受けるようになり、その流れが円滑でなく、この場合、管本体の内径部に作用する圧力が必要以上に上がってロックシーム部位が頻繁に破裂され、その破裂部位から漏水が発生するという問題がある。その上、しわを形成することにより、一体化された凹入部に沈殿物が蓄積し、長期間使用する場合、沈殿物の腐敗により流体が汚染されるという問題もあった。
【０００４】
さらに、このような従来のしわ型鋼管の他の問題は、鋼管の周りに波形のしわが螺旋状に連続形成されているため、一定の長さで切断された鋼管を連結させるのが極めて難しいという点である。すなわち、鋼管の両端部を互いに連結させるためには、鋼管の対応端部の周りにフランジを結合させなければならないが、従来の波形鋼管の周りには、その一端から他端まで螺旋状しわが連続的に形成されているため、鋼管の両端部の外周面に一般的な形態のフランジを結合させることができなかった。
したがって、従来の波形鋼管を連結させようとする時には、鋼管の外周面に突出した螺旋状しわを勘案した特殊なフランジを別に製作した後、この特殊製作されたフランジを用いて鋼管の対応端部を連結させなければならないので、製造工程が増加し、製造単価が上昇するなどの問題が生じていた。
【０００５】
このような従来の波形鋼管の問題を解決するために、本発明者は、「波形鋼管及びその製造方法」に関する特許（大韓民国特許出願番号１０−２０１１−００６１６９８号）を出願した。この特許は、流体が鋼管の内部に沿って円滑に流れることができ、鋼管の補強作業が簡便であり、補強リングを用いて鋼管等の対応端部を連結することができる。しかし、この波形鋼管のロック密封（ｌｏｃｋ  ｓｅａｍ）された部分に補強リングを固定することができないことから、補強リングの設置区間が制限的であり、このため、鋼管等の対応端部を補強リングを用いて連結させるのに困難があり、補強リングだけで鋼管の強度を効果的に増加させるには多少困難があった。
このため、本発明者は、従来の波形鋼管等に対する諸問題を解決するために、下記の技術を開発した。
【先行技術文献】
【特許文献】
【０００６】
【特許文献１】大韓民国特許出願番号１０−２０１１−００６１６９８号
【発明の概要】
【発明が解決しようとする課題】
【０００７】
本発明が解決しようとする課題は、強度が増加され、流体の流れが円滑であり、鋼管の内部に増加する圧力によって容易に破裂されず、製造期間及び製造単価が低減される波形鋼管及びその製造方法を提供することにある。
【課題を解決するための手段】
【０００８】
本発明の一実施形態に係る波形鋼管は、軸方向に連続する複数の単位鋼管を含む波形鋼管であって、単位鋼管は、第１の単位鋼板が円筒状に巻き付いて完成され、一側には、第１の単位鋼板の両端が突き合わせられた第１の繋ぎ部が形成されている第１の円筒状管と、第２の単位鋼板が円筒状に巻き付いて完成され、一側には、第２の単位鋼板の両端が突き合わせられた第２の繋ぎ部が形成されている第２の円筒状管とを備え、第２の円筒状管は、第２の単位鋼板の内面が第１の繋ぎ部を覆うように円筒状に巻き付いて第１の円筒状管の外面に重なり、第２の繋ぎ部は、第１の繋ぎ部に対応しないように位置することを特徴とする。
【０００９】
第１の円筒状管は、一側に段付き部を備え、段付き部は、第１の円筒状管の外面から段付けられ、第１の円筒状管の外面より大きい直径を有するように形成され、段付き部には、段付き部の反対側が挿入され得るし、単位鋼管は、軸方向に複数連続するとき、第１の円筒状管の段付き部の反対側が段付き部に挿入されて複数の単位鋼管が互いに結合されることを特徴とする。
第２の円筒状管は、第２の円筒状管の円周方向に沿って一定間隔に配列されており、円周方向に垂直に突出している複数の中空部を備えることができる。
【００１０】
このような本発明の一実施形態に係る波形鋼管の製造方法は、ａ）平板の長い第１の鋼板をロール状に用意するステップと、ｂ）平板の長い第２の鋼板をロール状に用意するステップと、ｃ）ロール状に用意された第１の鋼板を解きながら所定の長さで切断して第１の単位鋼板を複数用意するステップと、ｄ）第１の単位鋼板の一側を第１の単位鋼板の平面に垂直な方向に折り曲げて第１の単位鋼板の一側に段付き部を形成するステップと、ｅ）ロール状に用意された第２の鋼板を解きながら第２の鋼板の両側を一定パターンで折り曲げて複数の中空部を形成するステップと、ｆ）中空部が形成された第２の鋼板を所定の長さで切断して第２の単位鋼板を複数用意するステップと、ｇ）第１の単位鋼板を円筒状にある程度巻き付けながら第２の単位鋼板を第１の単位鋼板の下に供給するステップと、ｈ）第２の単位鋼板を第１の単位鋼板にシーム溶接するステップと、ｉ）第１の単位鋼板を円筒状に完全に巻き付けた後、第２の単位鋼板を円筒状に完全に巻き付けて、第２の単位鋼板の突き合わせられた両端を溶接して第１の単位鋼板からなる第１の円筒状管及び第２の単位鋼板からなる第２の円筒状管が互いに重なった単位鋼管を完成するステップと、ｊ）単位鋼管を前進移動させた後、追加の第１の単位鋼板の段付き部が単位鋼管の第１の円筒状管の外面に密着されるように、追加の第１の単位鋼板を単位鋼管の下に供給するステップと、ｋ）ａ）〜ｉ）のステップを経て追加の単位鋼管を完成した後、ｊ）〜ｉ）のステップを繰り返して複数の単位鋼管を互いに連結させるステップとを含むことを特徴とする。
【００１１】
本発明の他の実施形態に係る波形鋼管には、段付き部の内面には段付き部の円周方向に沿って一定間隔に配列されている複数の溝をさらに備え、溝は、第２の円筒状管の軸方向に沿って延長され、溝内には接着性充填剤が注入されることを特徴とする。
【００１２】
このような本発明の他の実施形態に係る波形鋼管の製造方法は、ａ）平板の長い第１の鋼板をロール状に用意するステップと、ｂ）平板の長い第２の鋼板をロール状に用意するステップと、ｃ）ロール状に用意された第１の鋼板を解きながら所定の長さで切断して第１の単位鋼板を複数用意するステップと、ｄ）第１の単位鋼板の一側を第１の単位鋼板の平面に垂直な方向に折り曲げて第１の単位鋼板の一側に段付き部を形成するステップと、ｅ）段付き部の内面に第１の単位鋼板の長さ方向に延長される複数の溝を形成するステップと、ｆ）ロール状に用意された第２の鋼板を解きながら第２の鋼板の両側を一定パターンで折り曲げて複数の中空部を形成するステップと、ｇ）中空部が形成された第２の鋼板を所定の長さで切断して第２の単位鋼板を複数用意するステップと、ｈ）第１の単位鋼板を円筒状にある程度巻き付けながら第２の単位鋼板を第１の単位鋼板の下に供給するステップと、ｉ）第２の単位鋼板を第１の単位鋼板にシーム溶接するステップと、ｊ）第１の単位鋼板を円筒状に完全に巻き付けた後、第２の単位鋼板を円筒状に完全に巻き付けて、第２の単位鋼板の突き合わせられた両端を溶接して第１の単位鋼板からなる第１の円筒状管及び第２の単位鋼板からなる第２の円筒状管が互いに重なった単位鋼管を完成するステップと、ｋ）単位鋼管を前進移動させた後、追加の第１の単位鋼板の段付き部が単位鋼管の第１の円筒状管の外面に密着されるように、追加の第１の単位鋼板を単位鋼管の下に供給するステップとを含み、ａ）〜ｉ）のステップを経て追加の単位鋼管を完成した後、ｊ）〜ｉ）のステップを繰り返して複数の単位鋼管を互いに連結させるステップと、溝の内側に接着性充填剤を充填し硬化して互いに連結された複数の単位鋼管を固定させるステップとを含むことを特徴とする。
【発明の効果】
【００１３】
本発明によれば、本発明の波形鋼管は、流体の流れが円滑であり、波形鋼管の内部に増加する圧力によって容易に破裂されず、波形鋼管の製造が迅速になされるので、製造期間及び製造単価が低減することができる。
また、互いに連結された単位鋼管を固定するための溶接作業を必要せず、簡単に単位鋼管を固定させることができる。
【図面の簡単な説明】
【００１４】
【図１】図１は、本発明の実施例１に係る波形鋼管を説明するための斜視図である。
【図２】図１に示した波形鋼管の単位鋼管断面を示した断面図と一部拡大図である。
【図３】図１に示した波形鋼管の単位鋼管を示した斜視図である。
【図４】本発明の実施例１に係る波形鋼管の製造過程を示したフローチャートである。
【図５】本発明の実施例１に係る波形鋼管の製造過程を示した図であり、平板の長い鋼板をロール状に用意し、単位鋼板を所定の長さに切断する工程を示す図である。
【図６】本発明の実施例１に係る波形鋼管の製造過程を示した図であり、第１の単位鋼板に段付き部を形成する工程を示す図である。
【図７】本発明の実施例１に係る波形鋼管の製造過程を示した図であり、第２の単位鋼板を折り曲げて中空部を形成する工程を示す図である。
【図８】本発明の実施例１に係る波形鋼管の製造過程を示した図であり、第１の単位鋼板を巻き付けながら、第２の単位鋼板を第１の単位鋼板の下に供給する工程を示す図である。
【図９】本発明の実施例２に係る波形鋼管を説明するための斜視図である。
【図１０】図９に示した単位鋼管に形成された溝の配列形態を示す図である。
【図１１】本発明の実施例２に係る波形鋼管の製造過程を示したフローチャートである。
【図１２】第１の単位鋼板に形成され段付き部に溝が形成された状態を示した斜視図である。
【発明を実施するための形態】
【００１５】
以下、添付した図面を基づいて本発明の実施形態に係る波形鋼管及びその製造方法について詳細に説明する。本発明は、様々な変更を加えることができ、種々の形態を有することができるところ、特定実施例等を図面に例示し、本文に詳細に説明しようとする。しかし、これは、本発明を特定の開示形態に対して限定しようとするものでなく、本発明の思想及び技術範囲に含まれるあらゆる変更、均等物ないし代替物を含むものと理解されなければならない。各図面を説明しつつ、類似した参照符号を類似した構成要素に対して使用した。添付された図面において、構造物等の寸法は、本発明の明確性を期するために、実際より拡大して図示したものである。
第１、第２などの用語は、様々な構成要素を説明するのに使用されるが、上記構成要素等は、用語等により限定されてはならない。上記用語等は、１つの構成要素を他の構成要素から区別する目的としてのみ使用される。例えば、本発明の権利範囲を外れないながらも、第１構成要素は第２構成要素として命名されることができ、同様に、第２構成要素も第１構成要素として命名されることができる。
【００１６】
本出願において使用した用語は、単に特定の実施例を説明するために使用されたものであって、本発明を限定しようとする意図でない。単数の表現は、文章上で明らかに違うように定義しない限り、複数の表現を含む。本出願において、「含む」または「有する」などの用語は、明細書上に記載された特徴、数字、ステップ、動作、構成要素、部分品、またはこれらを組み合わせたものが存在することを意味するものであり、１つまたはそれ以上の、他の特徴、数字、ステップ、動作、構成要素、部分品、またはこれらを組み合わせたものなどの存在若しくは付加する可能性を予め排除しないものと理解されなければならない。
異なることが定義されない限り、技術的、科学的な用語を含んでここに使用される全ての用語は、本発明の属する技術分野における通常の知識を有する者によって一般に理解される意味を有している。一般に使用される辞書に定義されている用語は、関連技術上の意味と一致する意味を有するものと解析されなければならず、本出願において明らかに定義しない限り、理想的とか、過渡に形式的な意味として解析されてはならない。
【００１７】
〔実施例１〕
図１は、本発明の実施例１に係る波形鋼管を説明するための斜視図であり、図２は、図１に示した波形鋼管の単位鋼管断面を示した断面図と一部拡大図であり、図３は、図１に示した波形鋼管の単位鋼管を示した斜視図である。
図１〜図３に示したとおり、本発明の実施例１に係る波形鋼管１００は、軸方向に連続する複数の単位鋼管１３０を含み、各単位鋼管１３０は、第１の円筒状管１１０及び第２の円筒状管１２０を含む。
第１の円筒状管１１０は、第１の単位鋼板１０が円筒状に巻き付いて完成され、一側には、第１の単位鋼板１０の軸方向の両端が突き合わせられた第１の繋ぎ部１１１が形成されている。このような第１の円筒状管１１０は、単位鋼管１３０の内側に位置する管である。
【００１８】
第２の円筒状管１２０は、第２の単位鋼板２０が円筒状に巻き付いて完成され、一側には、第２の単位鋼板２０の軸方向の両端が突き合わせられた第２の繋ぎ部１２１が形成されている。
このような第２の円筒状管１２０は、単位鋼管１３０の外側に位置する管であって、第２の円筒状管１２０は、第２の単位鋼板２０の内面が第１の繋ぎ部１１１を覆うように円筒状に巻き付いて第１の円筒状管１１０の外面に重なるように構成される。このとき、第２の繋ぎ部１２１は、第１の繋ぎ部１１１に対応しないように位置される。例えば、第２の繋ぎ部１２１は、第１の繋ぎ部１１１が位置した地点の反対地点に位置する。
このような単位鋼管１３０は、第１の円筒状管１１０及び第２の円筒状管１２０の複数の管が互いに重なった形態で構成されるので、強度が向上するし、前述のとおり、第１の繋ぎ部１１１及び第２の繋ぎ部１２１が互いに対応しないように位置し、第２の円筒状管１２０の内面が第１の繋ぎ部１１１及び第１の円筒状管１１０の全体を囲んでいるので、単位鋼管１３０内に圧力が増加しても第１の繋ぎ部１１１は容易に破損されない。
【００１９】
一方、第１の円筒状管１１０の一側には、段付き部１１２が形成されている。段付き部１１２は、第１の円筒状管１１０の外面に垂直なように第１の円筒状管１１０の外面から段付けられ、第１の円筒状管１１０の外面より大きい直径を有するように形成されている。
このような段付き部１１２は、単位鋼管１３０を複数に連結するとき、単位鋼管１３０が互いに連結されるための構成であって、複数の単位鋼管１３０が互いに連結されるとき、いずれか１つの単位鋼管１３０に形成された段付き部１１２内に隣接する単位鋼管１３０の第１の円筒状管１１０の外面が挿入されることにより、複数の単位鋼管１３０が互いに連結される。
一方、第２の円筒状管１２０は、複数の中空部１２２を備える。中空部１２２は、第２の円筒状管１２０の円周方向に沿って一定間隔に配列されており、円周方向に垂直に突出している。中空部１２２の形状は、例えば、横断面が矩形になされることができ、上面部１２２ａ及び上面部１２２ａから垂直に延長される２つの側面部１２２ｂを備えることができる。このような第２の円筒状管１２０は、前述のとおり、複数の単位鋼管１３０が段付き部１１２により互いに連結されるとき、第１の円筒状管１１０の外面が段付き部１１２内に挿入され得るように、第１の円筒状管１１０の長さより小さい長さを有するように第１の円筒状管１１０の外面に重なるのが好ましい。
【００２０】
図２には、複数の波形鋼管１００が連結された部分の拡大図が示されている。拡大図に示したとおり、例えば、段付き部１１２に突き合わせられるそれぞれの第２の円筒状管１２０の長さａは、１０ｃｍでありうるし、段付き部１１２の長さｂは、２０ｃｍでありうる。したがって、これらの合計ａ＋ｂ＋ａは、４０ｃｍでありうる。また、中空部１２２の幅ｃは、３０ｃｍでありうるし、互いに隣接する中空部１２２間の間隔ｅは、４０ｃｍでありうる。したがって、複数の波形鋼管１００が連結された部分と中空部の間隔の長さとは同一でありうる。このように、波形鋼管１００が構成される場合、単位鋼管１３０の連結部分と中空部との間隔の長さが同一であるため、波形鋼管１００の規格が正確になることができ、波形鋼管１００を切断するとき、波形鋼管１００のどの地点でも切断が可能であって、現場で簡単に裁断が可能であり、これにより、現場での波形鋼管１００の設置時間が短縮される。
波形鋼管１００の内部に増加された圧力は、第２の円筒状管１２０の内面及びこのような中空部１２２に伝達されて吸収、相殺される。すなわち、第２の円筒状管１２０の内面を及び中空部１２２に伝達された波形鋼管１００の膨張力は、第２の円筒状管１２０の内面を引っ張る引張力と、中空部１２２の２つの側面部１２２ｂを圧縮させる圧縮力と、中空部１２２の上面部１２２ａを引っ張る引張力とに分散することができる。したがって、波形鋼板１００の内部に増加した圧力が第２の円筒状管１２０の内面及び中空部１２２内に均等に分散されて吸収、相殺されるので、波形鋼板１００の破裂が防止される。よって、波形鋼管１００内の圧力に対する抵抗力が向上し、強度がさらに向上する。
【００２１】
図４は、本発明の実施例１に係る波形鋼管の製造過程を示したフローチャートであり、図５〜図８は、本発明の実施例１に係る波形鋼管の製造過程を示した図である。
本発明の実施例１に係る波形鋼管１００は、図４〜図８に示すとおりに製造される。
まず、平板の長い第１の鋼板１をロール状に用意するステップＳ１１を有し、かつ、平板の長い第２の鋼板２をロール状に用意するステップＳ１２を有する。この様子は、図５に示した。
第１の鋼板１及び第２の鋼板２がロール状に用意されると、ロール状に用意された第１の鋼板１を解きながら所定の長さで切断して第１の単位鋼板１０を複数用意するステップＳ１３を有する。また、第１の単位鋼板１０の一側を第１の単位鋼板１０の平面に垂直な方向に折り曲げて第１の単位鋼板１０の一側に段付き部１１２を形成するステップＳ１４を有する。ステップＳ１３及びＳ１４は、図５及び図６に示した。
【００２２】
次に、ロール状に用意された第２の鋼板２を解きながら図７のとおり、第２の鋼板２の両側を一定パターンで折り曲げて複数の中空部１２２を形成するステップＳ１５を有する。また、中空部１２２が形成された第２の鋼板２を所定の長さで切断して第２の単位鋼板２０を複数用意するステップＳ１６を有する。
このように、第１の単位鋼板１０及び第２の単位鋼板２０が用意されると、第１の単位鋼板１０を円筒状にある程度巻き付けながら第２の単位鋼板２０を第１の単位鋼板１０の下に供給するステップＳ１７を有する。このとき、第２の単位鋼板２０が供給される時点は、例えば、第１の単位鋼板１０がほぼ１８０℃程度巻き付く時点に第１の単位鋼板１０の下に供給される。この様子は、図８に示した。
第２の単位鋼板２０が供給された後、第２の単位鋼板２０を第１の単位鋼板１０にシーム溶接するステップＳ１８を有する。このとき、シーム溶接は、第２の単位鋼板２０の中空部１２２の間の面に行われる。これにより、第２の単位鋼板２０は、第１の単位鋼板１０と固定される。
【００２３】
次に、第１の単位鋼板１０を円筒状に完全に巻き付けた後、第２の単位鋼板２０を円筒状に完全に巻き付けて、第２の単位鋼板２０の突き合わせられた両端を溶接して第１の単位鋼板１０からなる第１の円筒状管１１０及び第２の単位鋼板２０からなる第２の円筒状管１２０が互いに重なった単位鋼管１３０を完成するステップＳ１９を有する。このとき、第１の単位鋼板１０の軸方向の両端が突き合わせられた第１の繋ぎ部１１１と第２の単位鋼板２０の軸方向の両端が突き合わせられた第２の繋ぎ部１２１とは互いに対応せず、互いに交わる形態で配置され得る。
このように、単位鋼管１３０が完成されると、完成された単位鋼管１３０を前進移動させた後、追加の第１の単位鋼板１０の段付き部１１２が単位鋼管１３０の第１の円筒状管１１０の外面に密着するように、追加の第１の単位鋼板１０を単位鋼管１３０の下に供給するステップＳ２０を有する。このとき、完成された単位鋼管１３０の第１の円筒状管１１０の外面と追加の第１の単位鋼板１０の段付き部１１２とは互いに突き合わせられる。
【００２４】
最後に、ステップＳ１１〜Ｓ１９を経て追加の単位鋼管１３０を完成した後、ステップＳ１１〜Ｓ２０を繰り返して複数の単位鋼管１３０を互いに連結させるステップＳ２１を有する。
このような本発明の実施例１に係る波形鋼管１００の製造方法によれば、波形鋼管１００を製造する過程で、初期の単位鋼管１３０を完成するステップに続き、連続して追加の単位鋼管１３０を完成するとともに、複数の単位鋼管１３０を互いに連結させることができるので、波形鋼管１００を完成する過程が迅速になされ得る。
また、第１の単位鋼板１０及び第２の単位鋼板２０が互いにシーム溶接されて固定され、第１の単位鋼板１０を円筒状に巻き付ける過程に続き、第２の単位鋼板２０を円筒状に巻き付ける過程が連続するので、第１の円筒状管１１０を完成する過程と第１の円筒状管１１０に重なるように第２の円筒状管１２０を完成する過程とが迅速になされる。
したがって、本発明の実施例１に係る波形鋼管１００は強度が増加され、第１の円筒状管１１０内に別の波形しわが形成されないので、流体の流れが円滑であり、波形鋼管１００の内部に増加する圧力によって容易に破裂されず、波形鋼管１００の製造が迅速になされるので、製造期間及び製造単価が低減される。
【００２５】
〔実施例２〕
図９は、本発明の実施例２に係る波形鋼管を説明するための斜視図であり、図１０は、図９に示した単位鋼管に形成された溝の配列形態を示す図である。
図９及び図１０に示したとおり、本発明の実施例２に係る波形鋼管２００は、段付き部２１２の内面に複数の溝２１３が形成されることを除いては、図１に示された本発明の実施例１に係る波形鋼管１００と実質的に同一であるから、溝２１３を除いた他の構成に対する具体的な説明を省略し、以下では、溝２１３を中心として説明する。
段付き部２１２に形成された複数の溝２１３は、互いに連結される単位鋼管２３０を効果的に固定させるための構成である。複数の溝２１３は、段付き部２１２の円周方向に沿って一定間隔に配列されている。そして、複数の溝２１３は、第２の円筒状管２２０の軸方向に沿って延長される。この様子は、図９に示した。
このような複数の溝２１３には、接着性充填剤（図示せず）が注入される。接着性充填剤は、溝２１３内に充填された後、硬化するにつれて、段付き部２１２及び段付き部２１２内に挿入されている第１の円筒状管２１０の外面に接着されて互いに連結された単位鋼管２３０を固定する。接着性充填剤には特に制限はなく、一例として、ＰＥ系接着性樹脂でありうる。
【００２６】
図１１は、本発明の実施例２に係る波形鋼管の製造過程を示したフローチャートであり、図１２は、第１の単位鋼板に形成され段付き部に溝が形成された状態を示した斜視図である。
本発明の実施例２に係る波形鋼管２００は、次のように製造される。図１２は、図６に示した第１の単位鋼板に形成され段付き部に溝が形成された状態を示した斜視図である。以下の本発明の実施例２に係る波形鋼管の製造方法に対する説明は、図１１及び図１２に示した。
まず、平板の長い第１の鋼板１をロール状に用意するステップＳ１１１を有し、かつ、平板の長い第２の鋼板２をロール状に用意するステップＳ１１２を有する。
第１の鋼板１及び第２の鋼板２がロール状に用意されると、ロール状に用意された第１の鋼板１を解きながら所定の長さで切断して第１の単位鋼板１０を複数用意するステップＳ１１３を有する。また、第１の単位鋼板１０の一側を第１の単位鋼板１０の平面に垂直な方向に折り曲げて第１の単位鋼板１０の一側に段付き部２１２を形成するステップＳ１１４を有する。
段付き部２１２が形成されると、段付き部２１２の内面に第１の単位鋼板１０の長さ方向に延長される複数の溝２１３を形成するステップＳ１１５を有する。この様子は、図１２に示した。
【００２７】
次に、ロール状に用意された第２の鋼板２を解きながら第２の鋼板２の両側を一定パターンで折り曲げて複数の中空部２２２を形成するステップＳ１１６を有する。また、中空部２２２が形成された第２の鋼板２を所定の長さで切断して第２の単位鋼板２０を複数用意するステップＳ１１７を有する。
このように、第１の単位鋼板１０及び第２の単位鋼板２０が用意されると、第１の単位鋼板１０を円筒状にある程度巻き付けながら第２の単位鋼板２０を第１の単位鋼板１０の下に供給するステップＳ１１８を有する。このとき、第２の単位鋼板２０が供給される時点は、例えば、第１の単位鋼板１０がほぼ１８０℃程度巻き付く時点に第１の単位鋼板１０の下に供給される。
第２の単位鋼板２０が供給された後、第２の単位鋼板２０を第１の単位鋼板１０にシーム溶接するステップＳ１１９を有する。このとき、シーム溶接は、第２の単位鋼板２０の中空部２２２間の面に行われる。これにより、第２の単位鋼板２０は、第１の単位鋼板１０に固定される。
【００２８】
次に、第１の単位鋼板１０を円筒状に完全に巻き付けた後、第２の単位鋼板２０を円筒状に完全に巻き付けて、第２の単位鋼板２０の突き合わせられた両端を溶接して第１の単位鋼板１０からなる第１の円筒状管２１０及び第２の単位鋼板２０からなる第２の円筒状管２２０が互いに重なった単位鋼管２３０を完成するステップＳ１２０を有する。このとき、第１の単位鋼板１０の軸方向の両端が突き合わせられた第１の繋ぎ部２１１と第２の単位鋼板２０の軸方向の両端が突き合わせられた第２の繋ぎ部２２１とは互いに対応せず、互いに交わる形態で配置される。
このように、単位鋼管２３０が完成されると、完成された単位鋼管２３０を前進移動させた後、追加の第１の単位鋼板１０の段付き部２１２が単位鋼管２３０の第１の円筒状管２１０の外面に密着するように、追加の第１の単位鋼板１０を単位鋼管２３０の下に供給するステップＳ１２１を有する。このとき、完成された単位鋼管２３０の第１の円筒状管２１０の外面と追加の第１の単位鋼板１０の段付き部２１２とは互いに突き合わせられる。
【００２９】
最後に、ステップＳ１１１〜Ｓ１２０を経て追加の単位鋼管１３０を完成した後、ステップＳ１１１〜Ｓ１２１を繰り返して複数の単位鋼管１３０を互いに連結させるステップＳ１２２を有する。
複数の単位鋼管２３０が互いに連結されると、段付き部２１２に形成された溝２１３の内側に接着性充填剤（図示せず）を充填し、硬化して互いに連結された複数の単位鋼管２３０を固定させるステップＳ１２３を実行する。
このような本発明の実施例２に係る波形鋼管２００は、段付き部２１２に複数の溝２１３を形成し、溝２１３の内部に接着性充填剤を充填した後、硬化して互いに連結された単位鋼管２３０を固定させるので、互いに連結された単位鋼管２３０を固定するための溶接作業の必要無しで簡単に単位鋼管２３０を固定させることができる。
【００３０】
一方、単位鋼管１３０、２３０の内周面の周りには殺菌、消毒機能などを有した芳香剤物質がコーティングされることにより、殺菌、殺虫などの作用をして清潔な状態を維持する効果を表す。
芳香剤物質には機能性オイルが混合され得るし、その混合割合は、芳香剤９５〜９７重量％に機能性オイル３〜５重量％が混合され、機能性オイルは、  沢瀉５０重量％、フェンネル（Ｆｅｎｎｅｌ）５０重量％からなる。
ここで、機能性オイルは、芳香剤に対して３〜５重量％が混合されるのが好ましい。機能性オイルの混合割合が３重量％未満であると、その効果が少なく、機能性オイルの混合割合が３〜５重量％を超えると、その機能が大きく向上しない反面、製造単価は大きく増加される。
機能性オイルのうち、沢瀉（Ａｌｉｓｍａ  ｃａｎａｌｉｃｕｌａｔｕｍ）は、沢瀉科（Ａｌｉｓｍａｔａｃｅａｅ）に属し、細菌毒性効果に優れ、抗菌作用などによい効果を表す。
フェンネル（Ｆｅｎｎｅｌ）は、アニシード、キャラウェイ、コリアンダーなどのような科に属する植物であって、化学的構成要素としては、アネトール（ａｎｅｔｈｏｌ）、エストラゴール（ｅｓｔｒａｇｏｌ）、カンフェン（ｃａｍｐｈｅｎｅ）などを挙げることができ、抗菌、殺菌効果などに優れる。
このような機能性オイルが単位鋼管１３０、２３０の内周面にコーティングされることにより、殺菌、殺虫などの作用をして単位鋼管１３０、２３０の内部を清潔に維持し、単位鋼管１３０、２３０の内部に沿って流れる流体を浄化させることになる。
【符号の説明】
【００３１】
１  第１の鋼板
２  第２の鋼板
１０  第１の単位鋼板
２０  第２の単位鋼板
１００、２００  波形鋼管
１１０、２１０  第１の円筒状管
１１１、２１１  第１の繋ぎ部
１１２、２１２  段付き部
１２０、２２０  第２の円筒状管
１２１、２２１  第２の繋ぎ部
１２２、２２２  中空部
１２２ａ  上面部
１２２ｂ  側面部
１３０、２３０  単位鋼管
２１３  溝
ａ  第２円筒状管の長さ
ｂ  段付き部の長さ
ｃ  中空部の幅
ｅ  中空部間の間隔
【図１】
2016516581.tif 000003
【図２】
2016516581.tif 000004
【図３】
2016516581.tif 000005
【図４】
2016516581.tif 000006
【図５】
2016516581.tif 000007
【図６】
2016516581.tif 000008
【図７】
2016516581.tif 000009
【図８】
2016516581.tif 000010
【図９】
2016516581.tif 000011
【図１０】
2016516581.tif 000012
【図１１】
2016516581.tif 000013
【図１２】
2016516581.tif 000014
【国際調査報告】
2016516581.tif 000015
2016516581.tif 000016
2016516581.tif 000017
2016516581.tif 000018